(57)【要約】【課題】  表面が絶縁コートされた金属カバーとその金属カバーに開口された開口部を塞ぐように配設した絶縁部材との隙間から進入する静電気を、装置内部への侵入防止し、静電ノイズにより装置の誤動作や、装置の破壊を防止する。【解決手段】  表面が絶縁コートされた金属カバーの開口付近の内壁部を少なくとも一部絶縁コートを除去し、その除去した金属が露呈した部分へ、外部から侵入する静電気を誘導し、避雷針の役目をさせることで、装置内部部への静電気の進入を防止する。【選択図】  図１
2008192362.tif 000002
【特許請求の範囲】
【請求項１】
表面に絶縁コート（１１０ａ）のある金属カバー（１１０）と、該金属カバーの少なくとも一部に開口（１１０ｄ）を有し、該開口部を絶縁部材（１１４）で塞ぐように構成されている機器において、
前記金属カバーの開口部（１１０ｄ）周囲のうち、少なくとも一部は絶縁コートを除去（１１０ｃ）してあることを特徴とする電子機器。
【請求項２】
前記絶縁コートを除去（１１０ｃ）してある部分のうち、少なくとも一部は、前記絶縁部材（１１４）で覆われていることを特徴とする、請求項１記載の電子機器。
【請求項３】
前記絶縁部材（１１４）は、透過率の高い窓部材から構成されていることを特徴とする、請求項１又は請求項２の何れかに記載の電子機器。
【請求項４】
表示手段（１３２）を具備し、表面に絶縁コート（１１０ａ）のある金属カバー（１１０）と、該金属カバーの少なくとも一部に開口（１１０ｄ）を有し、該開口部を透過率の高い窓部材（１１４）で塞ぐように構成されており、該窓部材の内側に該表示手段が配設されている機器において、
前記金属カバーの開口部周囲のうち、少なくとも一部は絶縁コートを除去してあることを特徴とする電子機器。
【請求項５】
前記絶縁コートを除去してある部分のうち、少なくとも一部は、前記透過率の高い窓部材で覆われていることを特徴とする、請求項４記載の電子機器。
【発明の詳細な説明】
【技術分野】
【０００１】
本発明は、電子機器に用いる表示手段を覆う表面が絶縁コートされた金属カバーに関するものである。
【背景技術】
【０００２】
近年、電子機器にておいて、その外観の良さや高級感などの印象をユーザーに与える為や、薄型かつ高強度を達成する為に、金属からなる外装部材を使用しているものが多くある。また、金属外装の意匠を更に優美にさせる目的で、その金属外装部材に電着塗装やアルマイトなどを施しているものがある。電着塗装や、アルマイトはその工法上、金属層の上に絶縁層（絶縁コート）が出来上がる。また、ＬＣＤなどの表示手段を持つ電子機器の場合、外力からガラスからなるパネルを保護する為、保護窓（ＬＣＤ窓）を設けていることが多い。
【０００３】
図１０は表示手段を持つ金属外装からなる一般的な機器の断面を示したものである。２１０は金属からなる後カバーであり、電着塗装を施してあるため、表層が２１０ａの様に絶縁コートされている。内部２１０ｂは金属層である。また２１４は絶縁部材からなる透過率の高い窓部材であり、一般的にポリカーボネート樹脂やアクリル樹脂やガラスなどから出来ている。２３２はＬＣＤパネルであり、２３２ａはＬＣＤパネルのガラスのパターンを形成するＩＴＯ膜である。
【０００４】
また、金属外装と、表面が導電性を有する樹脂ボタンの隙間などから進入する静電気や、そのボタンそのものに印加された静電気を、機器のメカグランドに導く手段について言及している文献がある（例えば参考文献１参照）。
【特許文献１】特開２００４−８７２２０号公報（第５頁、図２、図４、図５）
【発明の開示】
【発明が解決しようとする課題】
【０００５】
しかしながら、図１０の様な構成の場合、外部からの外来ノイズすなわち静電気は図１０の様に後カバー２１０とＬＣＤ窓２１４の隙間から進入する。この静電気が５ｋＶ程度の高い電圧である場合、絶縁部材であるＬＣＤ窓２１４を通過し、ＬＣＤパネルのＩＴＯ膜に到達する。そして、このＩＴＯ膜から機器の電子回路に侵入し、ＬＣＤの画像を乱したり、場合によっては装置を破壊してしまうといった問題があった。
【０００６】
本発明は上記事象を考慮し、電気回路の誤動作および破壊を防止し、優美な外観および、剛性の高い金属外装、表示手段の保護窓を持った電子機器を、部品を追加することなく提供することを目的とする。
【課題を解決するための手段】
【０００７】
上記目的を達成するために、本発明による電子機器は、表面に絶縁コートのある金属カバー（１１０）と、該金属カバーの少なくとも一部に開口有し、該開口部を絶縁部材で塞ぐように構成されている機器において、前記金属カバーの開口部周囲のうち、装置内装側の少なくとも一部は絶縁コートを除去してあることを特徴とする。
【発明の効果】
【０００８】
本発明は、絶縁コートされた金属カバーと、該金属カバーに配設された開口およびその開口を塞ぐ絶縁部材の隙間から進入する静電気を、絶縁コートを除去した部分に誘導し、装置内部への静電気の侵入を防止し、静電ノイズによる装置の誤動作や電子回路の破壊を防ぐことが可能となる。
【発明を実施するための最良の形態】
【０００９】
（第１の実施形態）
以下に、本発明による実施形態を、電子撮像装置を例にあげ、添付図面を参照して詳細に説明する。図２から図４に、例に挙げた電子撮像装置の概略を示し、本装置の概略説明を以下に行う。それぞれ、図２は本発明の装置の概略正面斜視図である。
【００１０】
図３は本発明の装置の概略正面斜視図であり、装置の電源を投入し鏡筒ユニットが繰り出した状態を示している。図４は、本発明の装置の概略背面斜視図である。
【００１１】
図２において、１００は、撮像装置本体である。撮像装置本体１００の前面部には撮影光学系レンズ、レンズバリア、ＣＣＤなどの光電変換素子、繰り出し機構、ズーム機構、シャッターなどを具備した鏡筒ユニット１０１が一部露呈している。鏡筒ユニット内部に配置されている光学系により被写体像が撮像素子に結像される。１０２は装置本体１００を操作者が右手でホールドするためのグリップ部である。
【００１２】
鏡筒ユニットの右上に撮影時に光量が足りない時等に必要に応じて発光する、ストロボ発光窓１０３が設けられている。また鏡筒ユニットの左上部には音声入力用のマイク１０４が設けられている。１０５は撮像装置本体の前面部を覆う金属にて構成された前カバーである。前カバーには前述のストロボ発光窓部を露呈する為の開口部１０５ａ、ＡＦＬＥＤ窓１０６を露呈する為の開口部１０５ｂが一体的に形成されている。ＡＦＬＥＤは自動合焦の精度を向上させるための、ＡＦＬＥＤ窓１０６の内部に配置された、投光ＬＥＤである。
【００１３】
図３において、１０８は電源ボタンであり、ボタンを押し圧し、電源を投入すると、撮影モード時には鏡筒ユニット１０１は（図２）の状態から（図３）の状態へ所定の位置まで繰り出す。１０９は樹脂部材からなるズームレバーである。ズームレバー１０９は、時計方向（Ｐ）及び反時計方向（Ｑ）に所定の位置まで回動可能な構造になっており、鏡筒ユニット１０１に配備された撮影光学系レンズ群の位置関係を変更し広角から望遠までズームする。ズームレバー１０９は、Ｐ及びＱ方向に操作後操作者が手を離すと、後述するトーションスプリング１５３の付勢力により、初期位置に自己復帰するように構成されている。この構成に関しては後に詳細に述べる。なお、本実施例では、ズームレバーは樹脂部材としているが、樹脂にメッキを施した部材であっても、亜鉛ダイカストやアルミダイカストの様な金属部材でも良い。
【００１４】
図４において、装置背面は金属からなる後カバー１１０が装置本体を覆い、後カバーの中央部左には文字や画像などを表示する液晶表示装置１１１がある。液晶表示装置１１１は、撮像する被写体像の確認や、撮像された画像の再生表示や装置の設定変更などの選択メニューおよびアイコンの表示に用いられる。後カバー１１０にはこの液晶表示装置１１１が視認できるよう、開口もしくは透視窓（ＬＣＤ窓１１４）が配設されている。本実施例では、後カバー１１０にＬＣＤ窓１１４を粘着剤により接着固定している。
【００１５】
１１２はシャッターボタンである。このシャッタ−ボタン１１２の操作により、被写体が撮像され装置本体内に組み込まれている記録媒体に被写体像の画像デ−タが記録される。このとき、前述のマイク１０４からの音声データも画像データと合わせて記録することができる。装置内部には音声再生用スピーカー１１３（図２に図示）が設けてあり、記録媒体に保存されている音声を再生することや、あらかじめ記録部に記録されている動作音などが再生できるようになっている。
【００１６】
また装置本体１００の底面には、装置本体１００に対し開閉可能な不図示の電池蓋があり、電源となる主電池（図示しない）が装置本体１００に対し、挿抜可能に挿入される。またこの電池蓋が開いている際に、記録媒体（カード型メモリー）を挿抜可能な構成になっている。１１５はモードレバーであり、本実施例の撮像装置では、このモードレバーに、静止画モード、動画モード、シーンモードが操作者がレバーを移動させることで選択できるように構成されている。各モードの詳細な説明は紙面の都合上割愛する。
【００１７】
装置背面、液晶表示装置１１１の右側には複数の背面操作ボタン群１１６が配置されている。複数の背面操作ボタン群１１６は、液晶表示装置１１１に表示されるメニューやアイコンを見ながら操作するものである。装置の設定やメニュー切り替え、液晶表示装置のオン／オフ切り替えや液晶表示装置の輝度などを変更するディスプレ―操作や、上下左右に入力可能な十字ボタン、決定ボタン、撮影モードから画像再生モードに移行する、再生ボタンなどである。これらの操作ボタンは液晶表示装置をみながら操作する為、液晶表示装置近隣に配置することで、ユーザーの利便性を向上させる。
【００１８】
また、液晶表示装置の表示領域の中心は、鏡筒ユニット１０１の撮影光学系の光軸となるべく一致させるように配置することで、撮影者が液晶表示装置を見ながら被写体を決定するときに違和感をなくすことができる。
【００１９】
１１７は電源ＬＥＤ窓であり、装置に電源が投入すると点灯するよう構成されている。電源ＬＥＤ窓１１７は、乳白色の樹脂部材もしくは無色透明の部材からなっており、装置内部に配置されたのフレキシブルプリント基板（ＦＰＣ）上のチップＬＥＤから照射された光が、電源ＬＥＤ窓入光部へ照射される。電源ＬＥＤ窓の装置外部へ露呈している部分が点灯し、ユーザーが装置が電源投入状態であることを瞬時に確認できるようになっている。電源投入状態から再度電源ボタンを押し圧すると、ＬＥＤは消灯し、装置の電源はＯＦＦ状態になる。
【００２０】
次に本発明の撮像装置の構成を説明する。図５は本発明の装置の展開斜視図である。図５において、１０５は前カバーである。前カバー１０５には、前述のスピーカー用の開口穴、ＡＦＬＥＤ窓、開口穴が一体的に構成されている。１１０は後カバーであり前述の各種操作ボタンや電源ＬＥＤ窓などが一体的に構成されている。１１９は電池室ユニットである。電池室ユニット１１９には、樹脂からなる電池室部材、挿入された電池１２０と電気的に接触する接片、電池から受けた電力をメイン基板に伝達するＦＰＣ、電池ロック機構、電池室に対しスライド及び回動可能に配設された電池蓋などが一体的に構成されている。
【００２１】
１２１はサイドカバーユニットであり、ストラップ紐を通す為の穴などが構成されている。１２２はトップベースユニットである。トップベースユニット１２２には、電源ボタン、ズームレバー、トーションスプリング、アース板、シャッターボタン、モードレバーおよびオペレートＦＰＣのパターンに電気的に短絡させる為のブラシ（接片）などが一体的に構成されている。
【００２２】
１２４はストロボユニットであり前述のスピーカー（発音体）も一体的に構成している。１２５はメモリーカードであり前述の画像データ、音声データなどを記録し、後述のメイン基板に実装配備されたかード型メモリースロットに挿抜可能に装着する。また１２６はメインユニットであり、主に金属からなるメインシャーシ１２７、鏡筒ユニット１０１、液晶表示手段１１１（ＬＣＤパネル１３２、ＬＣＤバックライト部材１３３からなる）、メイン基板１２８、オペレートＦＰＣ１２９から構成されている。構成の詳細は次に説明する。
【００２３】
金属からなる前カバーと金属からなる後カバーは、外装ビスによって、メインシャーシへと電気的な接続が行われる。メインシャーシは、後述するメイン基板のグランドラインとビスにより固定されており、前カバーおよび後ろカバーとメイン基板のグランドラインの電位差は限りなくゼロに等しい。
【００２４】
図６、図７は本発明の装置のメインユニット部の斜視図である。図６において、１０１は鏡筒ユニットである。１２７は主構造体である金属からなるメインシャーシである。１２８は電気回路基板からなるメイン基板である。１３２は液晶表示装置１１１の構成部品であるＬＣＤパネルである。１３３はＬＣＤパネルとバックライトの光学系部材を保持するＬＣＤフレーム（金属）を主部品としたＬＣＤバックライト部材である。このＬＣＤパネル１１１及びＬＣＤバックライト部材１３３は、不図示の位置決め手段によりメインシャーシへと締結される。
【００２５】
オペレートＦＰＣ１２９はタクトスイッチ１２９ａ、シャッタースイッチ１２９ｂなどの電気部品が実装配置される。さらに、オペレートＦＰＣ１２９にはブラシ（接片）に短絡させる為のパターンを露出させた、パターン露出部１２９ｃ、１２９ｄなどが配設されており、メイン基板にコネクタを介して接続される。オペレートＦＰＣで受けた入力信号をメイン基板のＣＰＵへ信号を送り、本撮像装置の操作を可能にしている。オペレートＦＰＣのシャーシへの固定は、メインシャーシから突出させた位置決めピンへオペレートＦＰＣの穴部を軽圧入させることで行う。
【００２６】
メイン基板には本装置の外部インターフェースであるＵＳＢコネクタ１２８ｂが実装配備されている。またメイン基板には、装置全体の制御を行うＣＰＵ、光電変換素子ＣＣＤからアナログ信号をデジタル信号に変換するＡ／Ｄ変換回路、そのデジタル信号を受けて適宜演算する画像処理回路、フラッシュメモリー、電源回路などが配設されている。メイン基板１２８はメインシャーシ１２７へ１３０ａ、１３０ｂのネジにて強固に締結されるとともに、電気的な接続も行われる。
【００２７】
図７はメインユニットを装置背面側から見た斜視図である。鏡筒ユニット１０１より突出した位置決めピンがメインシャーシ１２７に開口された穴に係合し、ネジ１３０ｃ、１３０ｄ、１３０ｅ、１３０ｆのネジにより締結されている。メイン基板１２８、メインシャーシ１２７、ＬＣＤパネル１３２は略平行に、かつ、鏡筒ユニット１０１の撮影光学系の光軸と略直交するように配設されている。
【００２８】
オペレートＦＰＣ１２９はメインシャーシに組み込まれると、ＬＣＤパネルの隣に並べるように配置され、操作者はＬＣＤパネルに表示される情報を確認しながら、背面の操作ボタンの操作を行うことが可能になり、操作性の良好の装置とすることが出来る。
【００２９】
次に、本発明の絶縁コートされた金属カバーと表示装置と表示装置を保護する保護窓の構成を詳細に説明する。図８は絶縁コートされた金属カバーと表示装置と表示装置を保護する保護窓の構成を示す展開斜視図である。
【００３０】
図８において、１１０は金属からなる後ろカバーであり、表面が絶縁コートされている。１１０ｄは開口部であり、後述するＬＣＤ窓１１４がこの開口を塞ぐように配設される。１１０ｃは絶縁コートを除去した部分であり、金属層が露出している。１３２はＬＣＤパネル、１３３はバックライト部材を示している。また、１１４は絶縁かつ透過率の高い部材からなる、ＬＣＤ窓である。
【００３１】
図１は絶縁コートされた金属カバーと表示装置と表示装置を保護する保護窓の構成を断面図を利用して示している。図１において、１１０は金属からなる装置の後カバーであり、１１０ｂは金属層（導電）、１１０ａは絶縁コート層（非導電）である。装置の外装に使用する金属は一般に、ステンレス、アルミニウム合金、亜鉛合金、チタン合金、マグネシウム合金などが知られている。この金属に意匠性向上目的や防錆目的にて、電着塗装やアルマイト、その他の表面処理を行うことがある。これらの処理を行うと金属の表層は、絶縁層となる。本実施例では、ステンレスに電着塗装という想定で話をすすめる。
【００３２】
１１４ＬＣＤ窓であり、絶縁である樹脂部材から構成されている。本部品の目的は装置内部に配設されているＬＣＤパネルを外力から保護するのと共に、装置内部へ外部からの異物などの進入を防ぐものである。ＬＣＤ窓は構成上ＬＣＤパネルに映し出される画像などを透過させなくてはならない為、比較的透過率の高い樹脂部材から構成されている。ＬＣＤ窓は外力に対し十分な強度があり、透過率が高い部材であれば強化ガラスなどのその他の部材から構成されていても良い。
【００３３】
１３２はＬＣＤパネルであり、２枚のガラス基板と光学シートなどから成り立っている。１３２ａは上記２枚のガラスが貼り合わさっている箇所である。この部分には透明電極配線のＩＴＯ膜（酸化インジウムスズ膜）が存在する。このＬＣＤパネル１３２はバックライト部材により保持されている。１３３ｃは導光体や光学シートからなるバックライト光学部材である。１３３ａはＬＣＤパネルを保持する樹脂スペーサーである。１３３ｂはバックライト光学部材および樹脂スペーサーを保持するバックライトフレームである。１３３ｄはＬＣＤパネルを押さえ込む上ベゼルである。１３３ｅはＬＣＤ表示領域に異物の侵入を防ぐ弾性体である。
【００３４】
後カバー１１０の絶縁コート１１０ａは図１の様に一部絶縁コートを除去し、金属の導電部が露出してある。絶縁コートの除去方法は、機械加工により削りとっても良いし、レーザーを照射し焼失させるもしくは、予めマスキングを行い、マスキング部に電着塗装（絶縁コート）をかけないようにしても良い。そして、この絶縁コート除去部１１０ｃは他部との電気ショートを防ぐ為、ＬＣＤ窓１１４にて覆うように構成してある。図１では絶縁コート除去部１１０ｃをＬＣＤ窓１１４にて全部位覆っているが、電気的ショートの可能性の無いところや、逆に導通が必要な部分については、覆うような構成になっていなくても良い。
【００３５】
また、ＬＣＤ窓１１４と後カバー１１０は粘着剤１３４にて固着している。
【００３６】
上記構成により（図１）のようにＬＣＤ窓１１４と後カバー１１０との隙間から進入した静電気を後カバーの絶縁コート除去部１１０ｃに誘導し、金属からなる後カバーへと導くことができる。
【００３７】
こうして、後カバーに導かれた電位は、前述の外装ビスにより、メインシャーシを経由し、メイン基板のグランドラインへと接続されている。このため最終的にメイン基板のグランドラインへと受け渡されることになり、ＬＣＤのＩＴＯ膜や各種ＦＰＣやメイン基板の信号ラインに放電することなく、装置の電気回路の破損や静電ノイズによる誤動作防ぐことが可能となる。
【００３８】
また、金属へ電着塗装を行うと、電着塗装された面は一般的に平滑になる為、この面への粘着剤１３４の接着強度は、何も処理を行っていない金属面に比較し低くなる傾向がある。より後カバーとＬＣＤ窓の接着強度を向上させるという観点からも、電着塗装（絶縁コート）を除去し、若干なりとも表面が荒れた部分でＬＣＤ窓を粘着剤により接着した方がよい。
【００３９】
後カバーは外装ビスにてメインシャーシに締結しているが、この締結ぶについても、絶縁コートが除去してあり、安定的に電気的接続を行っている。
【００４０】
なお、本実施では、後カバーから、メイン基板のグランドラインへの経路に外装ビスやメインシャーシなどの部材を介在させている。しかしながら、本発明はこれに限定されることではなく、後カバーから直接メイン基板のグランドラインに接続させても良いし、その他の中継部材を利用し、電位を受け渡すような構成にしても同様の効果が得られる。
【００４１】
（第２の実施形態）
図９において、１７１は金属からなるカバーであり、表面が絶縁コートさせれている。金属カバーの略中央には開口があり、その周囲の内壁面は、絶縁コートが除去されている。１７２は意匠用のバッチ部材であり、絶縁部材から構成されている。バッチは、光は透過せず、とくに内部が観察できるようにはなっていない。またバッチはカバー内側から粘着剤により接着されている。このような構成において、バッチとカバーの隙間から静電ノイズを装置内部へ侵入させた場合、静電気は、前述の絶縁コートが除去された部分に誘導され短絡し、装置内部への侵入を防ぐことができる。
【００４２】
第１の実施形態では、表層が絶縁された金属カバーと透過率の高い部材からなる絶縁性の窓部材との組み合わせにおいて、金属カバーの絶縁コートを一部除去することで、その部分を避雷針の役目をさせ、装置内部への静電気の進入を防ぐことが可能になる。
【００４３】
同様に、第２の実施形態では、表層が絶縁された金属カバーと絶縁部材からなるバッチ部材との組み合わせにおいて、金属カバーの絶縁コートを一部除去することで、その部分を避雷針の役目をさせ、装置内部への静電気の進入を防ぐことが可能になる。
【図面の簡単な説明】
【００４４】
【図１】本発明の第１の実施形態に関わる装置の断面図
【図２】本発明の第１の実施形態に関わる装置の斜視図
【図３】本発明の第１の実施形態に関わる装置の斜視図
【図４】本発明の第１の実施形態に関わる装置の斜視図
【図５】本発明の第１の実施形態に関わる装置の展開斜視図
【図６】本発明の第１の実施形態に関わる装置の展開斜視図
【図７】本発明の第１の実施形態に関わる装置の展開斜視図
【図８】本発明の第１の実施形態の部分展開斜視図
【図９】本発明の第２の実施形態の部分断面斜視図
【図１０】従来例を説明する図
【符号の説明】
【００４５】
１００  撮像装置本体
１０１  鏡筒ユニット
１０２  グリップ部
１０３  ストロボ発光窓
１０４  マイク
１０５  前カバー
１０５ａ、１０５ｂ  開口部
１０６  ＡＦＬＥＤ窓
１０８  電源ボタン
１０９  ズームレバー
１０９ａ、ｂ  軸
１０９ｃ、ｄ  ボス
１１０  後カバー
１１０ａ  後カバーの絶縁コート
１１０ｂ  後カバーの金属層
１１０ｃ  絶縁コート除去部
１１０ｄ  開口部
１１１  液晶表示装置
１１２  シャッターボタン
１１３  スピーカー
１１４  ＬＣＤ窓
１１５  モードレバー
１１６  背面操作ボタン
１１７  電源ＬＥＤ窓
１１９  電池室ユニット
１２０  電池
１２１  サイドカバーユニット
１２２  トップベースユニット
１２４  ストロボユニット
１２５  メモリーカード
１２６  メインユニット
１２７  メインシャーシ
１２８  メイン基板
１２８ｂ  ＵＳＢコネクタ
１２９  オペレートＦＰＣ
１２９ａ  タクトスイッチ
１２９ｂ  シャッタースイッチ
１２９ｃ  パターン露出部
１２９ｄ  パターン露出部
１３０ａ、１３０ｂ、１３０ｃ、１３０ｄ  ネジ
１３０ｅ、１３０ｆ  ネジ
１３２  ＬＣＤパネル
１３２ａ  ＬＣＤパネルのＩＴＯ膜
１３３  ＬＣＤバックライト部材
１３３ａ  樹脂スペーサー
１３３ｂ  バックライトフレーム
１３３ｃ  バックライト光学部材
１３３ｄ  上ベゼル
１３３ｅ  弾性体
１３４  粘着材
１３３  ＬＣＤバックライト部材
１７１  第２の実施形態の金属カバー
１７２  第２の実施形態のバッチ部材
【図１】
2008192362.tif 000003
【図２】
2008192362.tif 000004
【図３】
2008192362.tif 000005
【図４】
2008192362.tif 000006
【図５】
2008192362.tif 000007
【図６】
2008192362.tif 000008
【図７】
2008192362.tif 000009
【図８】
2008192362.tif 000010
【図９】
2008192362.tif 000011
【図１０】
2008192362.tif 000012